(57)【要約】【課題】衝突事故等によりキャブを有する自動車に過大な外力が作用しても、キャブのチルトロックが解除されてしまうことを防止出来る様なチルトロック装置の提供。【解決手段】キャブ（２）を有する車両のキャブ後端をシャシに固定するためのチルトロック装置（１）において、キャブ後端のシャシへの固定を解除するためのチルトロックハンドル（８）を支持して収納するためのブラケット（９）をキャブ（２）の剛性の高い部材（リヤクロスメンバ３）に形成したことを特徴としている。【選択図】図１
2005212752.tif 000002
【特許請求の範囲】
【請求項１】
キャブを有する車両のキャブ後端をシャシに固定するためのチルトロック装置において、キャブ後端のシャシへの固定を解除するためのチルトロックハンドルを支持して収納するためのブラケットをキャブの剛性の高い部材に形成したことを特徴とするチルトロック装置。
【請求項２】
前記剛性の高い部材は車両のクロスメンバである請求項１のチルトロック装置。
【請求項３】
前記ブラケットは、クロスメンバの左右端部近傍に設けられている請求項２のチルトロック装置。
【請求項４】
前記ブラケットは、車両におけるキャブのクロスメンバの歩道側端部近傍の領域に設けられている請求項２、３の何れかのチルトロック装置。
【発明の詳細な説明】
【技術分野】
【０００１】
本発明は、キャブ後端をシャシに固定するためのチルトロック装置に関する。より詳細には、チルトロック装置によるキャブ後端の固定を解除するためのチルトロックハンドルに関する。
【背景技術】
【０００２】
キャブを有する車両のチルトアップに関する技術は、従来から種々存在する（例えば、特許文献１参照）。
【０００３】
従来技術によるチルトロック装置の例を図３及び図４を参照して説明する。
【０００４】
図３において、チルトロック本体１は、被拘束側であるキャブ２のクロスメンバ３に第１のブラケット４を介して取付けられている。
【０００５】
一方、拘束側であって、図示しないシャシのキャブ緩衝装置の構成であるサブサスペンションフレーム５には第２のブラケット６を介して明確には示していない拘束手段７が取り付けられている。
【０００６】
チルトロックのロック及びロック解除は、チルトロック本体１の図示では明確ではないロック手段１１に一端を接続された操作用ロッド８の他端側の操作用ロッド８と一体のハンドル８１の「押し」、「引き」操作によって行われる。
当該ハンドル８１は、キャブのコーナパネル２１にハンドル支持用のブラケット９を介して支持されている。
【０００７】
キャブのチルトアップ作動は、チルトロックハンドル８１でチルトロックを解除後、図示しないポンプで、一端がキャブ側に係合し他端がシャシ側に係合された図示しないシリンダに油圧を作用させ、シリンダが伸張することによって行われる。
【０００８】
近年、キャブを有する車両では、事故発生時を想定した安全対策として、キャブにおける乗務員が存在しない箇所を変形させて、キャブ乗務員の安全を確保している。
係る構造を採用した車両において、コーナパネルは、衝突事故等で過大な衝撃力が付加された場合に、その他の構造材に比較して、変形し易い可能性がある。
そして、コーナパネルが変形すると、そこに支持されていたチルトロックハンドル自体が変形して、チルトロックが解除されてしまう恐れが有る。
【０００９】
大きな外力が付加された場合におけるチルトロックの解除という問題を解決する技術は、未だに提案されていない。
【特許文献１】特開２０００−２６４２６０号公報
【発明の開示】
【発明が解決しようとする課題】
【００１０】
本発明は上述した従来技術に鑑みて提案されたものであり、衝突事故等によりキャブを有する自動車に過大な外力が作用しても、キャブのチルトロックが解除されてしまうことを防止出来る様なチルトロック装置の提供を目的としている。
【課題を解決するための手段】
【００１１】
発明者は種々研究の結果、キャブ（２）を有する自動車のキャブのクロスメンバ（３）と呼ばれる部材は、剛性が高く、強度があり、外力が作用しても変形し難いことに着目した。
係る着眼に基づき、本発明のチルトロック装置（１）は、キャブ（２）を有する車両のキャブ後端をシャシに固定するためのチルトロック装置（１）において、キャブ後端のシャシへの固定を解除するためのチルトロックハンドル（８１）を支持して収納するためのブラケット（９）をキャブ（２）の剛性の高い部材に形成したことを特徴としている（請求項１）。
【００１２】
前記剛性の高い部材は車両のクロスメンバ（３）である（請求項２）。
【００１３】
前記ブラケット（９）は、クロスメンバ（３）の左右端部近傍に設けられている（請求項３）。
【００１４】
ここで、前記ブラケット（９）は、車両におけるキャブ（２）のクロスメンバ（３）の歩道側端部近傍の領域に設けられていることが望ましい（請求項４）。
【発明の効果】
【００１５】
上述した様な構成を具備する本発明のチルトロック装置（１）によれば、衝突事故等により、意図的に破壊され易く構成されたキャブ（２）のコーナ部（コーナパネル２１）が大きく変形しても、チルトロック解除用ハンドル（８１）の支持用ブラケット（９）が、変形し難いキャブ（２）のクロスメンバ（３）に取付けてあるため、衝突の影響はハンドル（８１）までは及ばない。
【００１６】
衝突の影響がハンドル（８１）に及ばないので、チルトロック装置（１）が外れて、キャブ（２）が不測にチルトアップすることが防止出来る。
【発明を実施するための最良の形態】
【００１７】
以下、添付図面を参照して、本発明の実施形態について説明する。
【００１８】
図１は、チルトロック装置をキャブの後方から見た正面図で、図２はチルトロック装置の平面図である。
【００１９】
図１及び図２において、チルトロック本体１は、被拘束側であるキャブ２のリヤクロスメンバ３に第１のブラケット４を介して取付けられている。
【００２０】
一方、拘束側であって、図示しないシャシのキャブ緩衝装置の構成であるサブサスペンションフレーム５には第２のブラケット６を介して明確には示していない拘束手段７が取り付けられている。
【００２１】
チルトロックのロック及びロック解除は、チルトロック本体１の図示では明確ではないロック手段１１に一端を接続された操作用ロッド８の他端側の操作用ロッド８と一体のハンドル８１の「押し」、「引き」操作によって行われる。
当該ハンドル８１は、キャブのクロスメンバ３の裏面３１にハンドル支持用のブラケット９を介して支持されている。
【００２２】
ハンドル支持用のブラケット９は、図示の例では、前記リヤクロス裏面３１に接する面（取付け面）９１と、取付け面９１に直交し車両進行方向に平行で且つ垂直な面９２と、車両進行方向に直交し、かつ面９１と離隔した位置で前記面９１、９２とも直交する面９３を有している。
【００２３】
前記面９１にはクロスメンバ３に取り付けるための取付け孔９４が２箇所に設けられている。
【００２４】
前記面９２には操作ロッド８を挿通させるための図示しない孔が設けられ、その孔には、ロッド８と孔の縁とで金属接触をしないように弾性材料よりなるグロメット９６が係合してある。
【００２５】
前記面９３には、前記ハンドル８１のキャブ外方への飛び出しを防止するための係止板５０を回転自在に支持するための支持用ピン６０が突設してある。
【００２６】
前記系止板５０は前記支持用ピン６０によってブラケット９の面９３側に支持されるとともに、リターンスプリング７０によって、矢印Ｒの方向に付勢されている。
【００２７】
前記系止板５０には湾曲部５０ａが形成されており、その湾曲部５０ａは常にハンドル８１の水平部８１ａに当接・係合される用に構成されていて、前記リターンスプリング７０の付勢によってハンドル８１の図示左方への飛び出しを防止している。
【００２８】
ハンドル８１を操作する場合は、系止板５０を指で前記矢印Ｒと反対方向へ回してやることによって係止が解除される。
【００２９】
図２において、符号２１はキャブ２のコーナパネルを示している。
【００３０】
尚、図２は、例えば、車両が左側通行の交通法規の国（日本等）用に配置した例であるが、車両が右側通行である交通法規の国用としては、図２に対して、左右勝手違いとすればよい。
【００３１】
ここで、図示はしないが、前記コーナパネル２１のハンドル支持用ブラケット８の存在する領域には、大きな切欠き部が形成されているため、コーナパネルが、衝突などによって変形しても、当該ブラケット９はコーナパネル２１とは接触しない。
【００３２】
上述したような構成を有する実施形態のチルトロック装置１によれば、衝突事故等により、意図的に破壊され易く構成されたキャブ２のコーナ部（コーナパネル）２１が大きく変形しても、チルトロック解除用ハンドル８１の支持用ブラケット９が、変形し難いキャブ２のクロスメンバ３に取付けてあるため、衝突の影響はハンドル８１までは及ばない。
【００３３】
衝突の影響がハンドル８１に及ばないので、チルトロック装置１が外れて、キャブ２が不測にチルトアップすることが防止出来る。
【００３４】
図示の実施形態はあくまでも例示であり、本発明の技術的範囲を限定する趣旨の記述ではないことを付記する。
【図面の簡単な説明】
【００３５】
【図１】本発明の実施形態に係るチルトロック装置の構成を示す正面図。
【図２】本発明の実施形態に係るチルトロック装置の構成を示す平面図。
【図３】従来技術におけるチルトロック装置の構成を示す正面図。
【図４】従来技術におけるチルトロック装置の構成を示す平面図。
【符号の説明】
【００３６】
１・・・チルトロック本体
２・・・キャブ
３・・・クロスメンバ
４・・・第１のブラケット
５・・・サブサスペンションフレーム
６・・・第２のブラケット
７・・・拘束手段
８・・・操作用ロッド
９・・・ブラケット
１１・・・ロック手段
２１・・・コーナパネル
５０・・・系止板
６０・・・支持用ピン
７０・・・リターンスプリング
８１・・・ハンドル
９１，９２，９３・・・面
９６・・・グロメット
【図１】
2005212752.tif 000003
【図２】
2005212752.tif 000004
【図３】
2005212752.tif 000005
【図４】
2005212752.tif 000006